(57)【要約】      （修正有）【課題】より簡単な構成によって剛性及び撓み量の調節を瞬時に行える操作性を維持し、無段階且つ微妙な調節が可能とする釣竿を提供する。【解決手段】内部中空５３の内径が先端に行くにつれて小さくなり可撓性を有する竿本体５と、竿本体５内の内部中空５３に挿入される調節用芯材１０とを備え、調節用芯材１０が竿本体５の軸方向に押し込まれる押圧力に応じて、竿本体５の撓み変形に対する曲げ剛性が変化される。竿本体の後端には、グリップ部２が進退可能に連結され、グリップ部２は竿本体５内に挿通された調節用芯材１０を保持し、グリップ部２が竿本体５に対して押し込まれることにより撓みに対する曲げ剛性が変化される。【選択図】図１
0003210368.tif 000002
【実用新案登録請求の範囲】
【請求項１】
内部中空のロッド状をなすとともに、前記内部中空の内径が先端に行くにつれて小さくなり、可撓性を有する竿本体と、
前記竿本体内の前記内部中空に挿入され、前記竿本体の曲げ剛性よりも大きい曲げ剛性を有する調節用芯材と
を備え、
前記調節用芯材が前記竿本体の軸方向に押し込まれる押圧力に応じて、前記竿本体の撓み変形に対する曲げ剛性が変化される
ことを特徴とする釣竿。
【請求項２】
前記竿本体の後端に進退可能に連結され、前記竿本体内に挿通された前記調節用芯材を保持するグリップ部をさらに備え、
前記グリップ部が前記竿本体に対して押し込まれることにより、前記撓みに対する曲げ剛性が変化されることを特徴とする請求項１に記載の釣竿。
【請求項３】
前記調節用芯材は、
前記竿本体の内部中空の所定位置における内径と合致する径を有し、前記竿本体の曲げ剛性よりも大きい曲げ剛性を有するテーパー形状部分と、
前記テーパー形状部分の後端に連結されたロッド部材と
を備え、
前記ロッド部材が前記竿本体内に押し込まれることによって、前記テーパー形状部分が前記所定位置の内径部分に押圧されることにより、前記竿本体の撓み変形に対する曲げ剛性が変化される
ことを特徴とする請求項１又は２に記載の釣竿。
【請求項４】
前記テーパー形状部分は、前記竿本体の軸方向に連結されて複数設けられ、各テーパー形状部分は、対応する前記所定位置における内径と合致する径を有し、これら複数のテーパー形状部分は、相互に間隔を開けて連結されていることを特徴とする請求項３に記載の釣竿。
【請求項５】
前記複数のテーパー形状部分は、相互の間隔が伸縮可能となるように配置されていることを特徴とする請求項４に記載の釣竿。
【請求項６】
前記複数のテーパー形状部分は、弾性部材を介して相互の間隔が伸縮可能となるように連結されていることを特徴とする請求項５に記載の釣竿。
【考案の詳細な説明】
【技術分野】
【０００１】
本考案は、剛性やたわみ量、しなり具合の調節が可能な釣竿に関する。
【背景技術】
【０００２】
従来より釣竿は、ターゲットとする魚の大きさや性質に合わせて、その剛性や撓み量などを選んで使用されるのが一般的である。この剛性や撓み量を調整し、使用状態に合わせて硬さ（剛性）を調節して色々な調子に設定できる釣竿を、本出願人も提案し、特許を取得している（例えば、特許文献１参照。）。
【０００３】
この先行技術文献に開示された釣竿は、内部中空のロッド状をなし可撓性を有する竿本体内の中空に挿入される調節用芯材を有し、竿本体の後端に回転可能に連結されたリアグリップ部を備え、グリップ部の回転角度に応じて調節用芯材の曲げ剛性が変化される。これにより、この釣竿によれば、剛性及び撓み量の調節を瞬時に行える操作性を維持し、無段階且つ微妙な調節が可能となる
【先行技術文献】
【特許文献】
【０００４】
【特許文献１】特許５８３８２８８号
【考案の概要】
【考案が解決しようとする課題】
【０００５】
しかしながら、上述した特許文献１に開示された釣り竿では、グリップ部を回転させることによって、竿の曲げ剛性及び撓み量の調節を実現しているが、ベースとなる釣り竿の種類や大きさによっては、釣り竿に調節用芯材を内蔵させるとともに、これを回転させる構成を組み込むことが困難な場合があった。
【０００６】
そこで、本考案は、上記問題に鑑み、剛性及び撓み量の調節を瞬時に行える操作性を維持し、より簡単な構成によって剛性及び撓み量の無段階且つ微妙な調節が可能な釣竿を提供することを目的とする。
【課題を解決するための手段】
【０００７】
上記課題を解決するために、本考案の釣竿は、内部中空のロッド状をなすとともに、前記内部中空の内径が先端に行くにつれて小さくなり、可撓性を有する竿本体と、前記竿本体内の前記内部中空に挿入され、前記竿本体の曲げ剛性よりも大きい曲げ剛性を有する調節用芯材とを備え、前記調節用芯材が前記竿本体の軸方向に押し込まれる押圧力に応じて、前記竿本体の撓み変形に対する曲げ剛性が変化されることを特徴とする。
【０００８】
このような本考案によれば、竿本体の曲げ剛性よりも大きい曲げ剛性を有する調節用芯材が竿本体内に挿入されているので、利用者が調節用芯材を竿本体の軸方向に押し込むことで、その押し込む際に生じる押圧力によって、竿本体の撓み変形に対する曲げ剛性が変化される。この結果、本考案によれば、このような簡単な操作のみで、調節用芯材の曲げ剛性を変化させることができ、掛かった魚のサイズや種類、性質、水面・水中の状況などに応じて刻々と変化する竿に必要な剛性や撓み量に追従させることができる。このように、本考案によれば、剛性及び撓み量の調節を瞬時に行える操作性を維持し、無段階且つ微妙な調節を可能とすることができる。
【０００９】
上記考案では、前記竿本体の後端に進退可能に連結され、前記竿本体内に挿通された前記調節用芯材を保持するグリップ部をさらに備え、前記グリップ部が前記竿本体に対して押し込まれることにより、前記撓みに対する曲げ剛性が変化されることが好ましい。この場合には、利用者が竿本体に対してグリップ部を前後に進退移動させることのみで、調節用芯材の曲げ剛性を変化させることができ、リールやガイドなどが竿本体に取り付けられているようなときであっても、それらの向きなどを気にすることなく、竿に必要な剛性や撓み量に追従させることができる。
【００１０】
上記考案において、前記調節用芯材は、
前記竿本体の内部中空の所定位置における内径と合致する径を有し、前記竿本体の曲げ剛性よりも大きい曲げ剛性を有するテーパー形状部分と、
前記テーパー形状部分の後端に連結されたロッド部材と
を備え、
前記ロッド部材が前記竿本体内に押し込まれることによって、前記テーパー形状部分が前記所定位置の内径部分に押圧されることにより、前記竿本体の撓み変形に対する曲げ剛性が変化されることが好ましい。
【００１１】
この場合には、ロッド部材を竿本体内に押し込んで前進させることによって、テーパー形状部分が竿本体内における所定位置の内径部分に押圧され、調節用芯材の曲げ剛性を高くすることができ、撓み変形方向への撓み量を小さくすることができる。一方、ロッド部材を竿本体に対して引き出して後退させることによって、テーパー形状部分が竿本体内における所定位置の内径部分から離脱されることにより、調節用芯材の曲げ剛性を低くすることができ、撓み変形方向への撓み量を大きくすることができる。このように本考案によれば、曲げ剛性及び撓み量の調節を瞬時に行える操作性を維持し、無段階且つ微妙な調節を可能とすることができる。
【００１２】
上記考案において、前記テーパー形状部分は、前記竿本体の軸方向に連結されて複数設けられ、各テーパー形状部分は、対応する所定位置における内径と合致する径を有し、これら複数のテーパー形状部分は、相互に間隔を開けて連結されていることが好ましい。この場合には、テーパー形状部分の表面が竿本体内面に接触する面積を小さくすることができ、操作性を高めることができる。
【００１３】
上記考案において、複数のテーパー形状部分は、相互の間隔が伸縮可能となるように配置されていることが好ましい。この場合には、複数に分割されたテーパー形状部分同士の間隔が自由になることから、竿本体内部により適格に密着させることができ、より適格に曲げ剛性及び撓み量の調節ができる。
【００１４】
上記考案において、複数のテーパー形状部分は、弾性部材を介して相互の間隔が伸縮可能となるように連結されていることが好ましい。この場合には、複数に分割されたテーパー形状部分同士の間隔が弾性部材で伸縮されることから、竿本体内部により適格に密着させることができ、より適格に曲げ剛性及び撓み量の調節ができる。
【考案の効果】
【００１５】
以上述べたように、この考案によれば、釣竿において、剛性及び撓み量の調節を瞬時に行える操作性を維持し、無段階且つ微妙な調節することができることから、掛かった魚のサイズや種類、性質、水面・水中の状況などに応じて刻々と変化する竿に必要な剛性や撓み量に追従させることができる。
【図面の簡単な説明】
【００１６】
【図１】（ａ）及び（ｂ）は、実施形態に係る釣竿の一部を示す側面図である。
【図２】実施形態に係る調節用芯材を示す斜視図である。
【図３】（ａ）及び（ｂ）は、実施形態に係る釣竿の動作を模式的に示す断面図である。
【図４】（ａ）及び（ｂ）は、実施形態に係る釣竿の動作を示す側面図である。
【図５】変更例１に係る調節用芯材を示す斜視図である。
【図６】（ａ）及び（ｂ）は、変更例１に係る釣竿の動作を模式的に示す断面図である。
【図７】変更例２に係る調節用芯材を示す断面図である。
【図８】（ａ）及び（ｂ）は、変更例２に係る釣竿の動作を模式的に示す断面図である。
【考案を実施するための形態】
【００１７】
以下に添付図面を参照して、本考案に係る釣竿の実施形態を詳細に説明する。図１（ａ）及び（ｂ）は、本実施形態に係る釣竿の一部を示す側面図であり、図２は、実施形態に係る調節用芯材を示す斜視図である。
【００１８】
図１及び図２に示すように、本実施形態に係る釣竿１は、竿本体５と、グリップ部２と、リールシート部３と、リール部６とを備えている。グリップ部２は、実釣時において操作者が把持する部分であって、フロントグリップ部２２及びリアグリップ部２１を備えている。フロントグリップ部２２は、エチレン酢酸ビニル樹脂或いはウレタン樹脂等の柔軟な合成樹脂発泡材料又はコルク、ゴム、エラストマー等の材料により形成される筒状部材であり、竿本体５の中間部分において、その外周に装着され固定されている。一方、リアグリップ部２１は、内部に硬質合成樹脂や金属部材で形成された円筒状の外周に、フロントグリップ部２２と同様な素材で形成されたカバー部材が貼り合わされて形成されている。このリアグリップ部２１は、竿本体５の後端において竿本体５に対して進退可能に連結されている。そして、フロントグリップ部２２及びリアグリップ部２１の間にリールシート部３が設けられている。
【００１９】
このリールシート部３は、釣用のリール部６を装着・固定するためのものであり、硬質合成樹脂や金属部材で形成される。このリールシート部３には、竿本体５の外周面に固定される略筒状の本体部３１と、本体部３１のリアグリップ部２１側に配置され、リール部６の後脚６０ａと係合する固定フード３３と、本体部３１のフロントグリップ部２２側に配置され、リール部６の前脚６０ｂと係合する移動フード３２とから形成される。
【００２０】
本体部３１には、フロントグリップ部２２側において、外周に雄ネジが形成されたネジ部３５を有しているとともに、ネジ部３５には、ネジ部３５に螺着され回転することでネジ部３５上をスライド移動するナット部３４を有している。本実施形態において、ナット部３４は、移動フード３２の穂先側に形成されており、ナット部３４と移動フード３２とを一体移動可能に構成している。
【００２１】
このため、ナット部３４を所定方向へ回転させると、移動フード３２が本体部３１側へスライドするようになっている。したがって、リールシート部３にリール部６の脚部を載置した状態でナット部３４を回転させることによって、移動フード３２と固定フード３３とによってリール部６の脚部６０を挟持し、固定することができるようになっている。
【００２２】
また、ナット部３４を反所定方向へ回転させることによって移動フード３２を本体部３１と反対側へスライドさせることができるので、リール部６をリールシート部３から取り外すことができる。なお、ナット部３４には、ナット部３４の緩みを防止するロックナットとしての機能も備えている。これらナット部３４の外周面には、滑り止めのためのローレット加工を施すこともできる。また、上述したリールシート部３の構成は一例であり、例えば、移動フードがリアグリップ側にある構成など、種々変更可能である。
【００２３】
リール部６は、リールシート部３に着脱可能に取り付けられ、釣糸を前方に繰り出す部材であり、リール本体６１と、リール本体に軸受によって支持されるスプール６２と、スプールに回転させ、釣糸を巻き取るハンドル６３等を有する一般的なリールであり、片軸受リール、両軸受リール、スピニングリール、電動リールなど種々のリールを用いることができる。本実施形態において、リール部６の両脚部は、リールシート部３に差し込み可能となっている。なお、図示していないが、リール部６に取り付けられた釣糸は、竿本体５の所要の位置に配設されているガイド孔に挿通される。
【００２４】
竿本体５は、可撓性を有する細長の棒状部材であり、炭素繊維強化プラスチック（カーボン）やガラス繊維強化プラスチック（グラスファイバ）、ボロン、アラミド繊維、ナイロン繊維等、所定の曲げ剛性を有する素材で形成される。なお、竿本体５は、一体的に形成され、竿尻から竿先に向かい竿径がスムーズに小径化する構成であったり、複数個に分割して継ぎにより一体化する継ぎ竿であってもよい。
【００２５】
本実施形態において、竿本体５は、内部中空５３のロッド状をなしており、図３に示すように、竿本体５内の内部中空５３に調節用芯材１０が挿入されている。調節用芯材１０は、竿本体５の曲げ剛性よりも大きい曲げ剛性を有する材質部分を有する部材である。具体的に調節用芯材１０は、図２に示すように、竿本体５の内部中空５３の所定位置における内径と合致する径を有し、竿本体５の曲げ剛性よりも大きい曲げ剛性を有するテーパー形状部分１２と、このテーパー形状部分１２の後端に連結されたロッド部材１１とを備え、ロッド部材１１が竿本体５内に押し込まれることによって、テーパー形状部分１２が所定位置の内径部分に押圧されることにより、竿本体５の撓み変形に対する曲げ剛性を変化させるようになっている。この調節用芯材１０は、竿本体５内に挿通された状態で、後端がリアグリップ部２１に保持されている。
【００２６】
そして、本実施形態において、リアグリップ部２１は、竿本体５の後端において前後に進退可能に連結されている。具体的に、竿本体５の後端の固定フード３３には、内部中空５３に連通する開口が形成されているとともに、リアグリップ部２１の竿先側には係止部２３を介してロッド部材１１が連結されており、ロッド部材１１を固定フード３３後端の開口に挿通することで竿本体５とリアグリップ部２１とが連結される。なお、リアグリップ部２１と係止部２３とは、例えば、ネジ機構（図示省略）で連結されているとともに、係止部２３と固定フード３３の間には、リアグリップ部２１を前後させた際に固定フード３３からロッド部材１１が抜けないようにするためのストッパーが設けられている。
【００２７】
このような構成により、リアグリップ部２１が前後に進退移動されることによって、リアグリップ部２１の押込み量（押込み押圧力）に応じて、竿本体５の撓みに対する曲げ剛性が調整可能となっている。すなわち、図３（ａ）に示すように、リアグリップ部２１を竿本体５に対して引き抜いて後退させることで、リアグリップ部２１とともにその先端に連結されたロッド部材１１及びテーパー形状部分１２が後退され、テーパー形状部分１２の竿本体５内面に対する押圧力が解消される。この結果、調節用芯材１０の曲げ剛性を低くすることができ、図４（ａ）に示すように、釣竿を撓らせる方向（以下、撓み変形方向Ｌという。）に対する撓み量を大きくすることができる。
【００２８】
一方、図３（ｂ）に示すように、リアグリップ部２１を竿本体５に対して押し込んで前進させることで、リアグリップ部２１とともにその先端に連結されたロッド部材１１及びテーパー形状部分１２が前進され、テーパー形状部分１２が所定位置の内径部分に押圧される。この結果、調節用芯材１０の曲げ剛性が高くなり、図４（ｂ）に示すように、撓み変形方向Ｌに対する撓み量を小さくすることができる。
【００２９】
なお、調節用芯材１０は、竿本体５に対して着脱可能となっており、リアグリップ部２１と竿本体５とを取り外し、リアグリップ部２１及び竿本体５の係止状態を解除することで交換することができる。
【００３０】
（作用・効果）
本実施形態によれば、竿本体５の曲げ剛性よりも大きい曲げ剛性を有する調節用芯材１０が竿本体５内に挿入されているので、利用者が調節用芯材１０を竿本体５の軸方向に押し込むことで、その押し込む際に生じる押圧力によって、竿本体５の撓み変形に対する曲げ剛性が変化される。この結果、本実施形態によれば、このような簡単な操作のみで、調節用芯材１０の曲げ剛性を変化させることができ、掛かった魚のサイズや種類、性質、水面・水中の状況などに応じて刻々と変化する竿に必要な剛性や撓み量に追従させることができる。このように本実施形態によれば、曲げ剛性及び撓み量の調節を瞬時に行える操作性を維持し、無段階且つ微妙な調節を可能とすることができる。
【００３１】
特に本実施形態によれば、利用者が竿本体に対してグリップ部２を前後に進退移動させることのみで、調節用芯材１０の曲げ剛性を変化させることができ、リールやガイドなどが竿本体に取り付けられているようなときであっても、それらの向きなどを気にすることなく、竿に必要な剛性や撓み量に追従させることができる。
【００３２】
本実施形態によれば、ロッド部材１１を竿本体５内に押し込んで前進させることによって、テーパー形状部分１２が竿本体５内における所定位置の内径部分に押圧され、調節用芯材１０の曲げ剛性を高くすることができ、撓み変形方向Ｌへの撓み量を小さくすることができる。一方、ロッド部材１１を竿本体５に対して引き出して後退させることによって、テーパー形状部分１２が竿本体５内における所定位置の内径部分から離脱されることにより、調節用芯材の曲げ剛性を低くすることができ、撓み変形方向への撓み量を大きくすることができる。
【００３３】
（変更例）
なお、上述した実施形態の説明は、本考案の一例である。このため、本考案は上述した実施形態に限定されることなく、本考案に係る技術的思想を逸脱しない範囲であれば、設計等に応じて種々の変更が可能である。以下、各変更例について説明する。
【００３４】
図５〜図８は、変更例１に係る調節用芯材の外観を示す斜視図である。なお、以下の変更例において、上述した各実施形態と同一の構成要素には同一の符号を付し、その機能等は特に言及しない限り同一であり、その説明は省略する。
【００３５】
本変更例では、図５及び図６に示すように、調節用芯材１０のテーパー形状部分１２が、竿本体５の軸方向に連結されて複数設けられ、各テーパー形状部分１２ａ〜ｃは、対応する所定位置における内径と合致する径を有し、これら複数のテーパー形状部分１２ａ〜１２ｃは、相互に間隔１１ａｂ，１２ｂｃを開けて連結されている。なお、これらの相互の間隔１１ａｂ，１２ｂｃは、伸縮可能となるように構成してもよい。
【００３６】
このような本変更例によれば、複数に分割されたテーパー形状部分１２ａ〜ｃ間に間隔が形成されていることから、竿本体内部により適格に密着させることができ、より適格に曲げ剛性及び撓み量の調節ができる。
【００３７】
また、図７及び図８に示すように、相互の間隔１１ａｂ，１１ｂｃのそれぞれに、バネやゴム等の弾性部材を介して相互の間隔が伸縮可能となるように連結されていてもよい。この場合には、ロッド部材１１の先端に、先端用のテーパー形状部分１２ａを固定するとともに、テーパー形状部分１２ａの後方に、テーパー形状部分１２ａに続くテーパー形状部分１２ｂや１２ｃをロッド部材１１に対して相対移動可能に挿通する。
【００３８】
このとき、間隔１１ａｂ，１１ｂｃ部分にバネ１３をそれぞれ嵌装するとともに、各バネ１３，１３により、前後のテーパー形状部分１２ａ〜ｃを相互に連結させる。最後端に位置するテーパー形状部分１２ａの後方に筒状のパイプ１４を接続する。このパイプ１４は例えば、ロッド部材１１の外周に嵌装され、ロッド部材１１とは無関係にテーパー形状部分１２ａを進退させる。このようにテーパー形状部分１２ａをパイプ１４で進退させることにより、この１２ａにバネ１３を介して連結されたテーパー形状部分１２ｂも前後に進退される。
【００３９】
このような本変更例によれば、複数に分割されたテーパー形状部分１２ａ〜ｃ同士の間隔１１ａｂ，１１ｂｃがバネ１３で伸縮されることから、テーパー形状部分１２を竿本体５内面に密着させることができ、より適格に曲げ剛性及び撓み量の調節ができる。
【符号の説明】
【００４０】
Ｌ…変形方向
１…釣竿
２…グリップ部
３…リールシート部
５…竿本体
６…リール部
１０…調節用芯材
１１…ロッド部材
１１ａｂ，１１ｂｃ…間隔
１２…テーパー形状部分
１２ａ〜ｃ…テーパー形状部分
１３…バネ
１４…パイプ
２１…リアグリップ部
２２…フロントグリップ部
２３…係止部
３１…本体部
３２…移動フード
３３…固定フード
３４…ナット部
３５…ネジ部
５３…内部中空
６０…脚部
６０ａ…後脚
６０ｂ…前脚
６１…リール本体
６２…スプール
６３…ハンドル
【図１】
0003210368.tif 000003
【図２】
0003210368.tif 000004
【図３】
0003210368.tif 000005
【図４】
0003210368.tif 000006
【図５】
0003210368.tif 000007
【図６】
0003210368.tif 000008
【図７】
0003210368.tif 000009
【図８】
0003210368.tif 000010